(57)【要約】      （修正有）【課題】ポンプ駆動用モータに具備した外扇ファンにより発生した風を、放熱フィンを有した半導体素子に直接当て、効率よく放熱して、放熱フィンや制御基板の小型化を図る。【解決手段】整流素子の放熱フィン５１ａとインバータモジュールの放熱フィン５５ａを、ファンカバーの後流側でかつファンカバーの上端と下端で囲まれた区画、つまりファンカバー外径φｄ内に配置することにより、ポンプ駆動用モータ外殻３ａ後部に具備した外扇ファンが回転することにより発生した風を、制御基板に実装された整流素子の放熱フィン５１ａとインバータモジュールの放熱フィン５５ａへ直接当てる。【選択図】図２
2012167623.tif 000002
【特許請求の範囲】
【請求項１】
ケーシング内に設けられた羽根車をポンプ駆動用モータにより回転させてポンプ作用を行うポンプ部と、前記ポンプ駆動用モータの回転速度を変速させて前記ポンプ部を制御する制御部を有するポンプ装置において、
前記ポンプ駆動用モータの回転軸に連結されたファンと、前記ファンの外周を覆うファンカバーとを具備し、
前記制御部は、前記ポンプ駆動用モータの回転速度を制御する半導体素子が実装された制御基板を有し、
前記半導体素子には、放熱フィンが取り付けられ、
前記半導体素子と前記放熱フィンの少なくとも一方は、前記ファンカバーの後流側でかつ前記ファンカバーの上端と下端で囲まれた区画内に配置されることを特徴とするポンプ装置。
【請求項２】
請求項１に記載のポンプ装置において、
前記制御基板は、カバーで覆われており、
前記カバーには、前記ファンにより発生した風の吸気のための開口部が設けられ、
前記開口部は、前記ポンプ駆動用モータ外殻側で、かつ前記カバー下側に設けられることを特徴とするポンプ装置。
【請求項３】
請求項１または請求項２に記載のポンプ装置において、
前記半導体素子と前記放熱フィンの少なくとも一方は、前記ポンプ駆動用モータ外殻に近接して配置され、前記ファンにより発生した風を直接受けることを特徴とするポンプ装置。
【発明の詳細な説明】
【技術分野】
【０００１】
本発明はポンプ装置に係わり、更に詳細には制御基板の信頼性向上に関するものである。
【背景技術】
【０００２】
従来のポンプ装置の制御基板に配置された発熱部品の冷却構造について、図４および図７から図９を用いて説明する。まず、図４を用いてポンプ装置のポンプ駆動用モータの回転速度制御に係わる制御装置をブロック図で説明する。
【０００３】
入力された商用電圧は、ノイズフィルター５０を介し整流素子５１で整流され、平滑コンデンサでＤＣ電圧に変換される。ポンプ作用は、ポンプ駆動用モータが回転しケーシング内に設けられた羽根車により揚水する。
【０００４】
ポンプ駆動用モータ３の回転速度制御は、圧力センサー７，位置センサー５２及びＡＣ入力電流を電圧変換した入力電流検知信号５３がそれぞれマイコン５４に入力され、マイコン５４でそれらの信号を演算処理し、制御指令をインバータモジュール５５へ出力する。インバータモジュール５５は３相アーム２個のＦＥＴで構成されており、マイコン５４からの指令通りポンプ駆動用モータ３を回転させるために、各相のＦＥＴをＯＮ／ＯＦＦさせる制御を行う。
【０００５】
制御基板４に実装された整流素子５１やインバータモジュール５５は発熱部品であり、何らかの方法で冷却しないと破壊してしまう。
【０００６】
それらを冷却するには、特開２００４−８４５１０号公報（特許文献１）のようにファンカバーと制御基板ケースとそのカバーにそれぞれ切欠き口を設け、風を迎え入れる方法がある。
【０００７】
特許文献１では、ポンプ駆動用モータの外殻後部にファンカバーで覆われた外扇ファンを具備し、モータが回転することにより風を発生させる。ファンカバーの一部には制御基板に向けて切欠き口を設けており、また、制御基板ケースとそのカバーにも切欠き口を設け、かつ、開口部を臨む位置にアルミニウム製の放熱板を備えたことを特徴としている。この技術では、ファンカバーの切欠き口から制御基板ケースとカバー切欠き口へと間接的に風を送っている。
【０００８】
また、図９に示すように導風ダクト３４を用いて、外扇ファン３１から発生した風（風向きＺ）を整流素子５１やインバータモジュール５５の実装部に導く方法もある。
【先行技術文献】
【特許文献】
【０００９】
【特許文献１】特開２００４−８４５１０号公報
【発明の概要】
【発明が解決しようとする課題】
【００１０】
上記従来のポンプ装置の制御基板に配置された発熱部品の冷却構造では、制御基板に配置された発熱部品に向かって冷却ファンから発生した風を間接的に当てている。ファンカバーの一部には切欠き口を設け、制御基板ケースとカバーにも切欠き口を設け、更には切欠き口に臨む位置にアルミニウム製の放熱板を備えている。しかし、ファンカバーと制御基板との間には間隙が存在するため、冷却ファンから発生した風を有効利用することは難しく、ポンプ装置が高出力になるに従い放熱効果に限界が生じる。その場合、ポンプ装置の運転に連動する制御基板冷却ファンを載置することにもなり、高コストになっている。
【００１１】
また、前述した導風ダクト３４を用いて導く方法では、間接的に風を送ることになり、外扇ファン３１から発生した風（風向きＺ）を有効に活用し冷却することができない。
【００１２】
また、制御基板に実装された半導体素子に取り付けた金属製の放熱フィンは、制御基板の上側に配置されており重心が高くポンプ装置との取り付けが不安定であり、輸送時の衝撃に耐えられないために制御基板とポンプ装置の取り付けを確実にするテープ固定や、制御基板を金属支持台に載置して複数のネジにより固定しており、高コストと作業手順の煩雑化となっている。
【００１３】
さらには、インバータモジュール５５が制御基板の上部に実装されて放熱フィンが制御基板の上側に配置されていることから、図１０のように制御基板カバー８にはインバータモジュール５５のポンプ駆動用モータ３側正面、及び天面に開口部８（ｂ）を設けている。このため、その開口部８（ｂ）からは塵埃や呼び水注入時の水滴が侵入し易くなり、制御基板に実装された部品が早期劣化する原因となる。
【００１４】
本発明の目的は、ポンプ駆動用モータに具備したファンから発生した風を、放熱フィンを有した半導体素子に直接当て、効率よく放熱して、放熱フィンや制御基板の小型化が可能となるポンプ装置を提供することである。
【課題を解決するための手段】
【００１５】
本発明は、ケーシング内に設けられた羽根車をポンプ駆動用モータにより回転させてポンプ作用を行うポンプ部と、前記ポンプ駆動用モータの回転速度を変速させて前記ポンプ部を制御する制御部を有するポンプ装置において、前記ポンプ駆動用モータの回転軸に連結されたファンと、前記ファンの外周を覆うファンカバーとを具備し、前記制御部は、前記ポンプ駆動用モータの回転速度を制御する半導体素子が実装された制御基板を有し、前記半導体素子には、放熱フィンが取り付けられ、前記半導体素子と前記放熱フィンの少なくとも一方は、前記ファンカバーの後流側でかつ前記ファンカバーの上端と下端で囲まれた区画内に配置されることを特徴とする。
【００１６】
好ましくは、前記制御基板は、カバーで覆われており、前記カバーには、前記ファンにより発生した風の吸気のための開口部が設けられ、前記開口部は、前記ポンプ駆動用モータ外殻側で、かつ前記カバー下側に設けられる。
【００１７】
好ましくは、前記半導体素子と前記放熱フィンの少なくとも一方は、前記ポンプ駆動用モータ外殻に近接して配置され、前記ファンにより発生した風を直接受ける。
【発明の効果】
【００１８】
本発明によると、半導体素子と放熱フィンの少なくとも一方がファンカバーの後流側でかつファンカバーの上端と下端で囲まれた区画内に配置されることにより、ポンプ駆動用モータに具備したファンから発生した風を、放熱フィンを有した半導体素子に直接当てることができるため、効率よく放熱することができ、放熱フィンや制御基板の小型化が可能となる。
【００１９】
また、ファンにより発生した風の吸気のための開口部がカバー下側に設けられることにより、制御基板の重心を下げてポンプ装置との取り付けを安定させ、制御基板固定の簡素化ができる。
【００２０】
さらには、ファンにより発生した風の吸気のための開口部がポンプ駆動用モータ外殻側に設けられることにより、塵埃や水滴が侵入しにくくなり制御基板に実装された部品の早期劣化を防止し、ポンプ装置の信頼性向上を図ることができる。
【図面の簡単な説明】
【００２１】
【図１】本発明の一実施例に係るもので、ポンプ装置の縦断面図である。
【図２】図１の右側面図である。
【図３】図１のポンプカバーを外した状態の平面図（上面図）である。
【図４】ポンプ装置のモータ回転速度制御に係わる制御装置ブロック図である。
【図５】（ａ）は本発明の制御基板カバーの平面図（上面図）で、（ｂ）は本発明の制御基板カバーの正面図である。
【図６】本発明の運転制御を時系列的に示したチャート図である。
【図７】従来例のポンプ装置の縦断面図である。
【図８】図７の右側面図である。
【図９】図７の背面図である。
【図１０】図７のポンプカバーを外した状態の平面図である。
【発明を実施するための形態】
【００２２】
以下、本発明の実施形態を本発明の実施例の図面に沿って説明する。
【００２３】
まず、本発明のポンプ装置の概要について図１から図３を用いて説明する。
【００２４】
ポンプ装置は、水通路（液体通路）が形成されたベース１と、ベース１の吐出側水通路部上部に載置された圧力タンク２と、ベース１の上に配置されたポンプ駆動用モータ３と、ポンプ駆動用モータ３の回転数を変速させてポンプ装置を制御する制御基板４と、制御基板４と通信線で接続されポンプ装置の吐出圧力値の表示や運転圧力等の設定を切り替え操作できる表示基板５と、ベース１の上に配置されたポンプ装置を制御する際に発生する高調波を抑制する高調波抑制コイル６と、ベース１の吐出側水通路部上部に載置されたポンプ装置の圧力を検出する圧力センサー７が備わっており、それらをポンプカバー１０が覆う構造である。ポンプカバー１０も、ベース１上に積置され、ベース１にネジ止めされて固定される。図３に示すように、上から見ると、右後側に圧力タンク２，中央の前側にポンプ駆動用モータ３，左後側に制御基板４がそれぞれ配置され、圧力タンク２の前に高調波抑制コイル６が配置され、圧力タンク２の前部の下側に一部が重複して圧力センサー７が配置される。ポンプ駆動用モータ３の回転軸方向を前後方向とし、さらに、ポンプ駆動用モータ３に対して羽根車１６が位置する側を後側と定義する。
【００２５】
ポンプ部１５は、ポンプ駆動用モータ３と、揚水を行うための羽根車１６と、この羽根車１６を内置するケーシング１７と、ケーシング１７の前面を閉じるケーシングカバー１８を有する。ケーシング１７は、羽根車１６の外周を覆っている。このポンプは、ウェスコポンプと称するもので、ケーシング１７に吸込口１７（ａ）と吐出口１７（ｂ）を有する。なお、本発明の説明は、代表的ポンプであるウェスコポンプを例示するが、本発明はウェスコポンプに限定されるものではない。ポンプ駆動用モータ３の回転軸に羽根車１６が連結され、さらに、外扇ファン３１が連結される。ポンプ駆動用モータ３は、気水分離室１９の下側に位置する。
【００２６】
図１，図２に示すように、ポンプ部１５のポンプ駆動用モータ３側の上部には、気水分離室１９が備わる。気水分離室１９はベース１の吸込側水通路１（ａ）と連通するように吸込管２０で接続される。
【００２７】
吸込側水通路１（ａ）のベース１側端面には配管接続用の吸込フランジ２１が取り付けられる。また、吸込管２０の上部の気水分離室１９内には逆止弁２２が備わる。この逆止弁２２は吸込口側からケーシング１７側への水の流れを許すが、逆向きの流れを阻止するよう作動する。また、気水分離室１９はベース１の吐出側水通路１（ｂ）と連通するように吐出管２３で接続される。吐出側水通路１（ｂ）のベース１側端面には配管接続用の吐出フランジ２４が取り付けられる。気水分離室１９の上部にはねじ込み式の呼び水給水用栓２５が備わる。この呼び水給水用栓２５を外して呼び水を給水する。
【００２８】
ポンプ装置の運転はポンプ駆動用モータ３を運転することにより行われる。まず、自吸運転が行われ、自吸運転が終了してから揚水運転に移行するのである。
【００２９】
自吸運転では、ケーシング吐出口１７（ｂ）から気水分離室１９内の呼び水が還流して、空気が排出され、ポンプ部１５のケーシング吸込口１７（ａ）から上流側の空気が徐々に抜けて水が満たされて行く。そして、水が全部に満たされると、自吸運転が終了し、揚水運転に移行するのである。
【００３０】
揚水運転では、吸い上げられた水が吐出フランジ２４を介して吐出配管から送り出されるのである。かかる揚水運転で、吐出配管につながる流路が閉じられると、吐出配管から下流側の圧力が上がる。通常は、この圧力を圧力センサー７が検知してポンプ駆動用モータ３の運転が止まる。
【００３１】
次に、本発明のポンプ装置の動作概略を図６のチャート図を用いて説明する。
【００３２】
運転待機状態から、Ｔ１で水栓を開き水を使い始めると、圧力タンク２に蓄水された水が流出し、ポンプ装置に設けられた圧力センサー７の検出圧力が（ｃ）のように、およびポンプ吐出圧力が（ｂ）のように徐々に低下する。この結果、運転開始圧力に到達した時点Ｔ２で運転を開始する。水栓の開度つまり水の使用量に応じて圧力センサー７の検出圧力も低下し、ポンプ駆動用モータ３の回転速度を制御基板４で増して、ポンプ装置の吐出圧力を一定に保持しながら運転している。
【００３３】
Ｔ３にて水の使用量を減じた場合には、圧力センサー７の検出圧力が上昇するので、ポンプ駆動用モータ３の回転速度は減じられて、同様にポンプ装置の吐出圧力を一定に保持しながら運転している。同様にＴ４で再度水の使用量が増す場合、Ｔ５で水の使用量が一定となる場合も各々の状況に応じて圧力センサー７の検出圧力に伴い、ポンプ駆動用モータ３の回転速度を変えて、ポンプ装置の吐出圧力を一定としているもので、この繰り返しで運転されるものである。
【００３４】
そして、Ｔ６にて水栓を閉じて水の使用を終了すると停止判定領域に入り、水使用の有無を判定するためにＴ７でポンプ駆動用モータ３の回転速度を若干下げた後、Ｔ８からＴ９間でポンプ駆動用モータ３の回転速度を一定に保持し、この間圧力センサー７の検出圧力が低下方向への変化がないことを確認してＴ９でポンプ装置を停止し、待機状態となるものである。
【００３５】
図４によりポンプ装置のポンプ駆動用モータ回転速度制御に係わる制御装置をブロック図で説明する。
【００３６】
入力された商用電圧はノイズフィルター５０を介し整流素子５１で整流され平滑コンデンサでＤＣ電圧に変換される。ポンプ作用はポンプ駆動用モータが回転しケーシング内に設けられた羽根車により揚水する。
【００３７】
ポンプ駆動用モータ３の回転速度制御は圧力センサー７，位置センサー５２及びＡＣ入力電流を電圧変換した入力電流検知信号５３がそれぞれマイコン５４に入力され、マイコン５４でそれらの信号を演算処理し制御指令をインバータモジュール５５へ出力する。インバータモジュール５５は３相アーム２個のＦＥＴで構成されており、マイコン５４からの指令通りポンプ駆動用モータ３を回転させるために各相のＦＥＴをＯＮ／ＯＦＦさせる制御を行う。ここで、半導体素子である整流素子５１やインバータモジュール５５は発熱部品であり、何らかの方法で冷却しないと破壊してしまう。
【００３８】
次に、本発明の制御基板に配置された発熱部品の冷却構造について、図１から図５を用いて説明する。
【００３９】
ポンプ駆動用モータ３の外殻後部に外扇ファン３１を具備する。ポンプ駆動用モータ３の外殻とは、ポンプ駆動用モータ３の外側を覆っているものであり、ポンプ駆動用モータ３の最外周に位置することとなる。ポンプ駆動用モータ３が略円筒状であり、よって、ポンプ駆動用モータ３の外殻の形状も略円筒状である。ポンプ駆動用モータ３の外殻後部とは、羽根車１６よりも後側である。外扇ファン３１は、ポンプ駆動用モータ３の回転軸に連結されており、ポンプ駆動用モータ３の回転に伴って回転する。外扇ファン３１が回転することによって、外気が吸い込まれ、外扇ファン３１によって吸い込まれた空気が、ポンプ駆動用モータ３の外殻の外周面に流れ、ポンプ駆動用モータ３の外殻が冷却され、ポンプ駆動用モータ３が冷却される。よって、外扇ファン３１は、ポンプ駆動用モータ３に軸方向に隣接して配置され、外扇ファン３１の外径は、ポンプ駆動用モータ３の外殻の外径よりも大きいのが好ましい。外扇ファン３１の外周は、ファンカバー３３により覆われている。ファンカバー３３は略円筒状であるが、正確には図２に示すように円形の皿状を有する。ファンカバー３３の前端は開口し、後端は閉塞しているが、その後端面には外気の吸込口を有する。
【００４０】
図１に示すように、略平板形状の制御基板４は、ベース１に対して立てて配置，支持される。図３に示すように、制御基板４は、制御基板４の平面部が外扇ファン３１および羽根車１６を向くように、外扇ファン３１および羽根車１６の横に配置される。つまり、制御基板４は、ポンプ駆動用モータ外殻３（ａ）の後部の側方に配置される。なお、制御基板４の高さはポンプ部１５の高さよりも高く、制御基板４の前後方向の長さ（幅）は、ポンプ部１５の前後方向（軸方向）の長さよりも短い。制御基板４上には、整流素子５１やインバータモジュール５５が実装される。つまり、制御基板４の平面のうちポンプ部１５側の平面に、整流素子５１やインバータモジュール５５が実施される。さらに、整流素子５１上には、アルミニウムなどの金属で構成された放熱フィン５１（ａ）が連結され、インバータモジュール５５上には、アルミニウムなどの金属で構成された放熱フィン５５（ａ）が連結される。つまり、整流素子５１のうちポンプ部１５側に、放熱フィン５１（ａ）が連結され、インバータモジュール５５のうちポンプ部１５側に、放熱フィン５５（ａ）が連結される。そして、図１に示すように、インバータモジュール５５および放熱フィン５５（ａ）は、制御基板４の上下方向に対して下側に配置され、整流素子５１および放熱フィン５１（ａ）は、制御基板４の上下方向に対してほぼ中央に配置される。よって、インバータモジュール５５および放熱フィン５５（ａ）は、整流素子５１および放熱フィン５１（ａ）よりも下側に配置される。インバータモジュール５５および放熱フィン５５（ａ），整流素子５１および放熱フィン５１（ａ）は、放熱フィン５５（ａ）や放熱フィン５１（ａ）を持つため、制御基板４上に実装される他の回路よりも大きく、重い。
【００４１】
制御基板４の整流素子５１やインバータモジュール５５が配置された側は、箱状の制御基板カバー８によって覆われている。つまり、制御基板４とポンプ部１５との間に制御基板カバー８が位置することになる。図５に示すように、制御基板カバー８は、上面，前面，後面が閉塞され、左面（制御基板４側）および下面が開口している。制御基板カバー８の右面（ポンプ部１５側）も閉塞しているが、複数の貫通孔からなる開口部８（ａ）を有する。そして、制御基板カバー８の左面の外周端部が制御基板４の外周端部にはめ込まれることによって、制御基板カバー８が制御基板４に固定される。開口部８（ａ）は、制御基板カバー８の上下方向に対して中央よりも下側に形成される。これは、開口部８（ａ）と放熱フィン５１（ａ）および放熱フィン５５（ａ）を対向させるためである。つまり、放熱フィン５１（ａ）および放熱フィン５５（ａ）とポンプ部１５との間に開口部８（ａ）が形成される。
【００４２】
図３に示すように、ポンプ駆動用モータ外郭３（ａ）の上部には、導風ダクト３４が配置される。導風ダクト３４は、ポンプ駆動用モータ外郭３（ａ）の上部に連通してもよいし、連通しなくてもよい。ただし、導風ダクト３４の他端は、開口部８（ａ）に連通していない。よって、導風ダクト３４には、ポンプ駆動用モータ外郭３（ａ）内の空気を開口部８（ａ）へ導く機能はない。制御基板カバー８の下側に配置した開口部８（ａ）に、導風ダクト３４を連通させるためには、ポンプ部１５と制御基板カバー８との間に導風ダクト３４分の空間を空けなければならないが、導風ダクト３４を開口部８（ａ）に連通させなければ、その空間は必要がない。よって、制御基板カバー８をポンプ駆動用モータ外殻３（ａ）に近接して配置できる。
【００４３】
そして、図２，図３に示すように、外扇ファン３１から吐出された風（風向きＹ）は、ポンプ駆動用モータ外郭３（ａ）の外周面へ流れると共に、開口部８（ａ）にも直接到達し、開口部８（ａ）から制御基板カバー８内へ流入し、放熱フィン５５（ａ）や放熱フィン５１（ａ）に当たった後に、制御基板カバー８と制御基板４との隙間（開口）や制御基板カバー８とベース１との隙間（開口）から、制御基板カバー８外へ流れ出る。
【００４４】
放熱フィン５５（ａ）を有したインバータモジュール５５を効率よく放熱するために、放熱フィン５５（ａ）は、ポンプ駆動用モータ３外殻後部に具備した円筒状のファンカバー３３の外径φｄの軸方向延長線上範囲内に配置している。つまり、図２に示すように、側面から見ると、放熱フィン５５（ａ）は、ファンカバー３３の下流側（前側）で、かつ、ファンカバー３３の上端と下端とで囲まれた区画内に配置される。放熱フィン５５（ａ）の側方の対向する位置には、開口部８（ａ）が形成されるが、開口部８（ａ）は、ファンカバー３３の上端と下端とで囲まれた区画よりも大きいのが好ましい。図２に示すように、放熱フィン５１（ａ）も、ファンカバー３３の下流側（前側）で、かつ、ファンカバー３３の上端と下端とで囲まれた区画内に配置されるのが好ましい。また、放熱フィン５５（ａ）は、ファンカバー３３の範囲よりも狭く、外扇ファン３１の下流側（前側）で、かつ、外扇ファン３１の上端と下端とで囲まれた区画内に配置されてもよい。さらに、制御基板４の位置はポンプ駆動用モータ外殻３（ａ）および、ファンカバー３３と干渉しないところまで近接させることにより、外扇ファン３１から発生した風（風向きＹ）を図５の制御基板カバー８の開口部８（ａ）を通過し直接当てることができる。導風ダクト３４は表示基板５の取り付け架台として必要となる。なお、ポンプ駆動用モータ外殻３（ａ）および、ファンカバー３３に近接させた制御基板４の向きについては平行や斜めなど限定しない。
【００４５】
以上により、インバータモジュール５５の放熱フィン５５（ａ）や整流素子５１の放熱フィン５１（ａ）を従来の大きさより小型にすることが可能となり、さらには制御基板４も小型化が可能となる。
【００４６】
次に、制御基板４に実装されたインバータモジュール５５の放熱フィン５５（ａ）や整流素子５１の放熱フィン５１（ａ）を制御基板４の下側に配置することで重心が下がり、前記ポンプ装置との取り付けが安定し制御基板固定の簡素化ができる。
【００４７】
また、図５に説明する制御基板カバー８では側面の開口部８（ａ）だけになり、天面（上面）に開口部を設ける必要がなく、塵埃や呼び水注入時の水滴が浸入しにくくなり制御基板４の早期劣化を防ぐこととなる。しいてはポンプ装置の信頼性向上を図ることができる。
【００４８】
放熱フィン５１（ａ）や放熱フィン５５（ａ）がない場合は、整流素子５１やインバータモジュール５５がファンカバー３３の下流側（前側）で、かつ、ファンカバー３３の上端と下端とで囲まれた区画内に配置されるのが好ましい。
【符号の説明】
【００４９】
３  ポンプ駆動用モータ
３（ａ）  ポンプ駆動用モータ外郭
４  制御基板
８  制御基板カバー
３１  外扇ファン
３３  ファンカバー
５１  整流素子
５１（ａ），５５（ａ）  放熱フィン
５５  インバータモジュール
Ｄ  回転方向
φｄ  ファンカバー外径
Ｙ，Ｚ  風向き
【図１】
2012167623.tif 000003
【図２】
2012167623.tif 000004
【図３】
2012167623.tif 000005
【図４】
2012167623.tif 000006
【図５】
2012167623.tif 000007
【図６】
2012167623.tif 000008
【図７】
2012167623.tif 000009
【図８】
2012167623.tif 000010
【図９】
2012167623.tif 000011
【図１０】
2012167623.tif 000012